(57)【特許請求の範囲】
【請求項１】
浴室に設けられた複数の浴室機器と、
前記浴室内に音声を出力する音声出力部および浴室内の音声が入力される音声入力部を具備し、浴室外部に設けた浴室外通話装置との間で通話を行うための浴室内通話装置と、
所定の音声命令の音響的特徴を表す音響モデルを記憶する音響モデル記憶部、前記音声入力部を介して入力される話者の音声信号と音響モデル記憶部に記憶された音響モデルとのパターンマッチングを行うことによって音声の内容を認識する音声認識部、および音声認識部により認識された音声信号の内容にしたがって対応する浴室機器を操作する音声操作部を具備した音声操作装置と、を備え、
前記音声操作装置に、前記浴室外通話装置から前記浴室内通話装置へ入力される送話信号を前記音声認識部に入力させる外部音声入力手段が設けられ、
前記浴室外通話装置からの送話信号が前記浴室内通話装置に入力されると、前記外部音声入力手段によって前記送話信号が前記音声認識部に入力されるとともに、前記音声出力部によって前記送話信号が音声出力されることを特徴とする浴室装置。
【請求項２】
前記外部音声入力手段が、前記浴室内通話装置に入力された送話信号を、前記音声認識部に直接入力させることを特徴とする請求項１記載の浴室装置。
【請求項３】
前記外部音声入力手段を、前記浴室内通話装置に入力された送話信号を音声出力する前記音声出力部と、前記音声出力部から音声出力された送話音声が入力されて、入力された送話音声を前記音声認識部に出力する前記音声入力部とで構成したことを特徴とする請求項１記載の浴室装置。
【請求項４】
前記浴室外通話装置には、切替操作に応じて音声操作の可否を切り替える切替信号を前記浴室内通話装置に出力する操作可否切替手段が設けられ、前記外部音声入力手段は、前記操作可否切替手段より音声操作を可能にする切替信号が入力されると前記送話信号を前記音声認識部に入力させ、音声操作を不可にする切替信号が入力されると前記送話信号の前記音声認識部への入力を停止することを特徴とする請求項１乃至３の何れか１項に記載の浴室装置。
【請求項５】
請求項１乃至４の何れか１項に記載の浴室装置に用いられる音声操作システムであって、前記音声操作装置と前記浴室内通話装置とを備え、
前記浴室内通話装置は、前記浴室内に音声を出力する音声出力部および浴室内の音声が入力される音声入力部を具備し、浴室外部に設けた浴室外通話装置との間で通話を行い、
前記音声操作装置は、所定の音声命令の音響的特徴を表す音響モデルを記憶する音響モデル記憶部、前記音声入力部を介して入力される話者の音声信号と音響モデル記憶部に記憶された音響モデルとのパターンマッチングを行うことによって音声の内容を認識する音声認識部、および音声認識部により認識された音声信号の内容にしたがって対応する浴室機器を操作する音声操作部を具備し、
前記音声操作装置に、前記浴室外通話装置から前記浴室内通話装置へ入力される送話信号を前記音声認識部に入力させる外部音声入力手段が設けられ、
前記浴室外通話装置からの送話信号が前記浴室内通話装置に入力されると、前記外部音声入力手段によって前記送話信号が前記音声認識部に入力されるとともに、前記音声出力部によって前記送話信号が音声出力されることを特徴とする音声操作システム。
【発明の詳細な説明】
【技術分野】
【０００１】
本発明は、浴室装置及びそれに用いる音声操作システムに関するものである。
【背景技術】
【０００２】
従来より、給湯器の給湯温度や浴槽に溜める湯の温度や量を設定したり、追い炊きや湯はりなどの操作を行うための給湯コントローラが浴室内に設置されている。
【０００３】
また近年、快適な入浴を実現するために、浴槽内に気泡を含んだジェット噴流を発生させるジェット噴流設備や、浴室内の暖房、換気、浴室乾燥を行う換気暖房乾燥設備や、映像あるいは音楽などを視聴するための映像音響設備が浴室内に設置されており、これらの設備を操作するためのコントローラも浴室装置として設置されていた。そのため浴室内には給湯コントローラとは別に、ジェット噴流設備、換気暖房乾燥設備、映像音響設備などの浴室機器をそれぞれ制御するための複数のコントローラが設置されることになり、コントローラの数が増えて、広い設置スペースを必要とするという問題があった。またコントローラの数が増えると、それぞれのコントローラの使用方法を覚えなければならず、使用方法の習熟に時間を要し、また複数のコントローラを操作するため使い勝手が悪かった。
【０００４】
そこで、例えば特許文献１に示されるような音声認識装置を用い、各種の浴室機器を制御するために使用者が音声で命令を発すると、その音声を認識して、操作対象の浴室機器を操作するようにした浴室装置および音声操作システムが提案されている。
【特許文献１】特開２００４−１１７７２４号公報（段落番号［００２５］〜［００３２］、及び、図１）
【発明の開示】
【発明が解決しようとする課題】
【０００５】
上述の浴室装置および音声操作システムは、浴室内の話者（入浴者）が発した音声を認識して操作対象の浴室機器を制御するのであるが、操作対象の浴室機器が増えると、使用する命令語の数も増加するため、全ての命令語を覚えていない場合は、所望の浴室機器を音声により操作することができなかった。操作対象の浴室機器を操作する命令語を覚えていない場合は取扱説明書などで確認しなければならないが、入浴中のため取扱説明書を確認する作業が困難であった。また他の家人と一緒に操作をしながら操作方法を教えてもらうことも考えられるが、入浴中は着衣を身につけていないため、他の家人に操作を教えてもらうのは恥ずかしく、抵抗感があった。
【０００６】
本発明は上記問題点に鑑みて為されたものであり、その目的とするところは、浴室外にいる人が音声による操作を実際に行いながら、浴室内にいる入浴者に操作方法を教えることができる浴室装置及びそれに用いる音声操作システムを提供することにある。
【課題を解決するための手段】
【０００７】
上記目的を達成するために、請求項１の発明は、浴室に設けられた複数の浴室機器と、浴室内に音声を出力する音声出力部および浴室内の音声が入力される音声入力部を具備し、浴室外部に設けた浴室外通話装置との間で通話を行うための浴室内通話装置と、所定の音声命令の音響的特徴を表す音響モデルを記憶する音響モデル記憶部、音声入力部を介して入力される話者の音声信号と音響モデル記憶部に記憶された音響モデルとのパターンマッチングを行うことによって音声の内容を認識する音声認識部、および音声認識部により認識された音声信号の内容にしたがって対応する浴室機器を操作する音声操作部を具備した音声操作装置と、を備え、音声操作装置に、浴室外通話装置から浴室内通話装置へ入力される送話信号を音声認識部に入力させる外部音声入力手段が設けられ、浴室外通話装置からの送話信号が浴室内通話装置に入力されると、外部音声入力手段によって送話信号が音声認識部に入力されるとともに、音声出力部によって送話信号が音声出力されることを特徴とする。
【０００８】
請求項２の発明は、請求項１の発明において、外部音声入力手段が、浴室内通話装置に入力された送話信号を、音声認識部に直接入力させることを特徴とする。
【０００９】
請求項３の発明は、請求項１の発明において、外部音声入力手段を、浴室内通話装置に入力された送話信号を音声出力する音声出力部と、音声出力部から音声出力された送話音声が入力されて、入力された送話音声を音声認識部に出力する音声入力部とで構成したことを特徴とする。
【００１０】
請求項４の発明は、請求項１乃至３の何れかの発明において、浴室外通話装置には、切替操作に応じて音声操作の可否を切り替える切替信号を浴室内通話装置に出力する操作可否切替手段が設けられ、外部音声入力手段は、操作可否切替手段より音声操作を可能にする切替信号が入力されると送話信号を音声認識部に入力させ、音声操作を不可にする切替信号が入力されると送話信号の音声認識部への入力を停止することを特徴とする。
【００１１】
請求項５の発明は、請求項１乃至４の何れか１項に記載の浴室装置に用いられる音声操作システムであって、音声操作装置と浴室内通話装置とを備えることを特徴とする。浴室内通話装置は、浴室内に音声を出力する音声出力部および浴室内の音声が入力される音声入力部を具備し、浴室外部に設けた浴室外通話装置との間で通話を行う。音声操作装置は、所定の音声命令の音響的特徴を表す音響モデルを記憶する音響モデル記憶部、音声入力部を介して入力される話者の音声信号と音響モデル記憶部に記憶された音響モデルとのパターンマッチングを行うことによって音声の内容を認識する音声認識部、および音声認識部により認識された音声信号の内容にしたがって対応する浴室機器を操作する音声操作部を具備する。音声操作装置には、浴室外通話装置から浴室内通話装置へ入力される送話信号を音声認識部に入力させる外部音声入力手段が設けられる。浴室外通話装置からの送話信号が浴室内通話装置に入力されると、外部音声入力手段によって送話信号が音声認識部に入力されるとともに、音声出力部によって送話信号が音声出力される。
【発明の効果】
【００１２】
請求項１の発明によれば、浴室外通話装置に対して浴室外にいる話者が浴室機器を操作する音声命令を話すと、この音声命令が浴室内通話装置の音声出力部から出力されて、浴室内にいる入浴者に聞こえると同時に、外部音声入力手段により音声認識部に入力され、音声認識部が音声認識を行い、その認識結果に基づいて音声操作部が対応する浴室機器を操作するので、浴室内にいる入浴者は、所望の操作を行わせる音声命令を聞きながら、音声命令により操作される状態を確認することで、所望の操作を行わせる音声命令を容易に覚えることができる。しかも、操作方法を教えてくれる人と直接対面しなくても良いので、抵抗感を感じることなく操作を教えてもらうことができる。
【００１３】
請求項２の発明によれば、外部音声入力手段は、浴室内通話装置に入力された送話信号を、音声認識部に直接入力しているので、送話信号が、浴室内の雑音や反響音の影響を受けて変形することがなく、音声認識部による誤認識の発生を低減することができる。
【００１４】
請求項３の発明によれば、浴室外の話者が浴室外通話装置に音声命令を話すと、話者が発した音声命令が浴室内通話装置の音声出力部から音声出力されるとともに、音声出力された音声命令が音声入力部を介して音声認識部に入力されるので、浴室内にいる人物が実際に聞いた音声により対象の浴室機器を操作することができる。
【００１５】
請求項４の発明によれば、浴室外にいる話者が浴室外通話装置に設けた操作可否切替手段を用いて音声操作を可能にした場合のみ、浴室外の話者が発した音声により浴室機器の操作が行えるので、浴室外の話者が、浴室内の人物と通話をする際に、浴室機器の操作を意図せずに発した言葉で浴室機器が操作されるのを防止することができる。
【００１６】
請求項５の発明によれば、請求項１乃至４の何れか１項に記載の音声操作装置と浴室内通話装置とを備えており、浴室外通話装置に対して浴室外にいる話者が浴室機器を操作する音声命令を話すと、この音声命令が浴室内通話装置の音声出力部から出力されて、浴室内にいる入浴者に聞こえると同時に、外部音声入力手段により音声認識部に入力され、音声認識部が音声認識を行い、その認識結果に基づいて音声操作部が対応する浴室機器を操作するので、浴室内にいる入浴者は、所望の操作を行わせる音声命令を聞きながら、音声命令により操作される状態を確認することで、所望の操作を行わせる音声命令を容易に覚えることができる音声操作システムを提供できる。しかも、操作方法を教えてくれる人と直接対面しなくても良いので、抵抗感を感じることなく操作を教えてもらうことができる音声操作システムを提供できる。
【発明を実施するための最良の形態】
【００１７】
以下に本発明の実施の形態を図面に基づいて説明する。
【００１８】
（実施形態１）
本発明の実施形態１を図１〜図３に基づいて説明する。図２は本発明にかかる浴室装置Ａを適用した浴室１の構成を模式的に示した図であり、浴室１の内部には出入り口２に近い側に洗い場３が設けられ、出入り口２から遠い側に浴槽４が設置されている。浴槽４には、浴槽４に湯を張った状態で気泡を含むジェット噴流を発生させるジェット噴流発生装置（図示せず）が設けられている。また浴室１の天井５には、浴室１内の換気、暖房或いは浴室乾燥を行うための換気乾燥暖房機６と、浴室１内の照明を行う照明器具７とがそれぞれ設置されている。また浴室１の横壁８ａには、洗い場３側にシャワー設備９が設けられ、浴槽４側にテレビやビデオを視聴するための浴室テレビ１０が設置されている。また浴室１内の浴槽４に沿った横壁８ｂには、本発明の音声認識機能を有するコントローラ１１が設置されている。また浴室１の室外には、浴槽４内に溜める湯やシャワー設備９から出湯する湯を供給するための給湯機（図示せず）が設置されている。
【００１９】
図３はコントローラ１１の外観図であり、前面の形状が矩形状に形成されたボディ２０を有し、ボディ２０の前面を横壁８ｂの表面に露出させた状態で横壁８ｂに配設されている。ボディ２０の前面には、給湯器の動作状態や給湯温度の設定値などを示す液晶モニタ２１と、動作表示のための発光ダイオードＬＥＤと、マイクＭＣと、スピーカＳＰとが配置されている。またボディ２０の前面において、液晶モニタ２１の右側には、動作モードを設定モードに切り替えるためのメニュー釦２２ａと、設定項目や設定値を決定するための確定釦２２ｂと、１つ前の操作状態に戻すために操作する復帰釦２２ｃとが上下に並べて配置されており、各操作釦２２ａ〜２２ｃの前面には例えば「メニュー」「確定」「戻る」などの操作内容を示す文字が表示されている。さらに操作釦２２ａ〜２２ｃの下側には、設定モードにおいて設定項目を選択したり、設定値を変更したりするための上下左右のカーソル釦２３ａ〜２３ｄが配置されている。またボディ２０の前面において、液晶モニタ２１の左側には、例えば台所などに別置されたコントローラ（図示せず）からの操作に対して浴室側のコントローラ１１による操作を優先させるために操作する優先釦２２ｄと、浴槽４内に溜められている湯を温める際に押操作する追いだき釦２２ｅと、浴槽４内に所定温度の湯を所定量溜める際に押操作するふろ自動釦２２ｆと、浴室外（例えば台所）に別置された後述の浴室外通話装置Ｆとの間でインターホン通話を行う際に操作する通話釦２２ｄとが上下に並べて配置されており、各操作釦２２ｄ〜２２ｇの前面には例えば「優先」「追いだき」「ふろ自動」「通話」といった操作内容を示す文字がそれぞれ表示されている。
【００２０】
また図１はコントローラ１１の要部のブロック図であり、浴室外通話装置Ｆとの間で音声通話を行う構成と音声命令の認識処理を行って浴室機器Ｅの操作を行う構成のみを図示してある。すなわち図１は浴室装置Ａに適用される音声操作システムＢ（浴室内通話装置Ｃおよび音声操作装置Ｄからなる）の概略構成を示している。
【００２１】
浴室内通話装置Ｃは、図１に示すように浴室１内に設けられて入力された音声を電気信号に変換するマイクＭＣ１（音声入力部）と、入力された電気信号を音声に変換して浴室１内に音声出力するスピーカＳＰ１（音声出力部）と、２線−４線変換回路２４と、回線（２線の伝送路）からの受話信号を増幅してスピーカＳＰ１に出力するスピーカアンプ２５と、マイクＭＣ１により電気信号に変換された回線への送話信号を増幅するマイクロホンアンプ２６と、音響エコーキャンセラ２７とで構成される。音響エコーキャンセラ２７は適応フィルタ２８と減算器２９からなる従来周知の構成を有し、スピーカＳＰ１−マイクＭＣ１間の音響結合により形成される帰還経路（音響エコー経路）Ｌ１のインパルス応答を適応フィルタ２８により適応的に同定し、参照信号（スピーカＳＰ１への入力信号）から推定したエコー成分（音響エコー）を減算器２９によりマイクＭＣ１の出力信号から減算することでエコー成分を相殺して抑圧するものである。
【００２２】
音声操作装置Ｄは、スピーカアンプ２５への入力信号が外部音声入力用スイッチ１６を介して入力されるとともに、マイクロホンアンプ２６の出力信号が入力され、入力された電気信号（アナログ信号）をデジタル信号に変換するＡ／Ｄ変換部１２と、所定の音声命令の音響的特徴を表す音響モデルが予め登録された音響モデル記憶部１３と、Ａ／Ｄ変換部１２から入力される音声信号と音響モデル記憶部１３に登録された音響モデルとをパターンマッチングすることによって音声命令の内容を認識する音声認識部１４と、音声認識部１４の認識結果に基づいて対応する浴室機器Ｅ（換気乾燥暖房機６、照明器具７、浴室テレビ１０、給湯機１８、ジェット噴流発生装置１９など）を操作する音声操作部１５とを備えている。
【００２３】
マイクＭＣ１は、使用者の発した音声を電気信号に変換するために用いられ、このようなマイクＭＣ１としてはコンデンサマイクや圧電マイクなど使用状態や使用環境に応じて適宜のものを使用することができる。
【００２４】
音響モデル記憶部１３には、浴室機器を操作するために用いる音声命令の認識処理に必要な音響モデルが格納されており、音響モデルとしては、例えば人間の発声の小さな単位（音素）の音響的特徴を表す隠れマルコフモデル（ＨＭＭ）などが用いられる。
【００２５】
外部音声入力用スイッチ１６は、後述の浴室外通話装置Ｆから入力される切替信号に応じてオン／オフが切り替わり、浴室外通話装置Ｆから回線を介して浴室内通話装置Ｃに入力された音声信号（スピーカアンプ２５への入力信号）のＡ／Ｄ変換部１２への入力を許可する状態と、入力を停止する状態とが切り替えられるようになっている。
【００２６】
一方、浴室の外部（例えば台所など）に設置される浴室外通話装置Ｆは、入力された音声を電気信号に変換するマイクＭＣ２と、入力された電気信号を音声に変換して出力するスピーカＳＰ２と、２線−４線変換回路３０と、マイクＭＣ２により電気信号に変換された回線（２線の伝送路）への送話信号を増幅するマイクロホンアンプ３１と、回線からの受話信号を増幅してスピーカＳＰ２に出力するスピーカアンプ３２と、音響エコーキャンセラ３３とで構成される。音響エコーキャンセラ３３は適応フィルタ３４と減算器３５からなる従来周知の構成を有し、スピーカＳＰ２−マイクＭＣ２間の音響結合により形成される帰還経路（音響エコー経路）Ｌ２のインパルス応答を適応フィルタ３４により適応的に同定し、参照信号（スピーカＳＰ２への入力信号）から推定したエコー成分（音響エコー）を減算器３５によりマイクＭＣ２の出力信号から減算することでエコー成分を相殺して抑圧するものである。
【００２７】
次に本発明に係る音声操作システムＢを用いる浴室装置Ａの動作について説明する。先ず、浴室内通話装置Ｃと浴室外通話装置Ｆとの間で内線通話を行う場合の動作について説明する。コントローラ１１に設けた通話釦２２ｄ又は浴室外通話装置Ｆに設けた通話釦（図示せず）を押操作すると、浴室内通話装置Ｃと浴室外通話装置Ｆとの間で通話路が所定時間形成され、浴室内通話装置ＣのマイクＭＣ１に入力された音声が、浴室外通話装置ＦのスピーカＳＰ２から出力されるとともに、浴室外通話装置ＦのマイクＭＣ２に入力された音声が浴室内通話装置ＣのスピーカＳＰ１から出力され、両通話装置Ｃ，Ｆを用いて音声通話を行えるようになっている。ここで、各通話装置Ｃ，Ｆに設けた音響エコーキャンセラ２７，３３により、それぞれ、スピーカＳＰ１−マイクＭＣ１間の音響結合やスピーカＳＰ２−マイクＭＣ２間の音響結合によって形成される帰還信号が抑圧されるようになっている。なお従来周知の音声スイッチを２つの音響エコーキャンセラ２７，３３の間の送受話路に設けても良く、その動作原理は基本的に同様であるので、詳しい説明は省略する。
【００２８】
また浴室１内の人物が浴室機器Ｅを音声により操作する場合の動作について説明する。浴室内通話装置Ｃでは、上述の通話釦２２ｄが押操作されていない場合でも、マイクＭＣ１により入力された音声を電気信号に変換し、マイクロホンアンプ２６で増幅してＡ／Ｄ変換部１２に入力している。この時、音声認識部１４が、Ａ／Ｄ変換部１２によりＡ／Ｄ変換された音声信号と、音響モデル記憶部１３に記憶された音響モデルとのパターンマッチングを行うことで、浴室内の人物が発した音声の内容を認識しており、認識結果に基づいて音声操作部１５が対応する浴室機器Ｅの操作を行うのである。なお通話釦２２ｄが押操作されていなければ、２線−４線変換回路２４から回線へは音声信号が出力されないようになっている。
【００２９】
また更に浴室外の人物が、浴室外通話装置Ｆに音声命令を入力して、浴室機器Ｅを音声により操作する場合の動作について説明する。浴室外通話装置Ｆには、切替操作に応じて音声操作の可否を切り替える切替信号を浴室内通話装置Ｃ（外部音声入力用スイッチ１６）に出力する操作可否切替釦３６が設けられており、浴室外部から音声操作を行う場合は外部音声入力用スイッチ１６を閉極させて、送話信号を音声認識部１４に入力させる側に操作可否切替釦３６を切り換える。この時、浴室外部の話者が浴室外通話装置ＦのマイクＭＣ２に向かって所定の音声命令を話すと、マイクＭＣ２によって電気信号に変換された音声信号がマイクロホンアンプ３１により増幅され、２線−４線変換回路３０を介して回線に出力される。回線に送出された音声信号は、２線−４線変換回路２４を介してスピーカアンプ２５に入力され、スピーカアンプ２５で増幅されてスピーカＳＰ１から出力されるとともに、２線−４線変換回路２４と外部音声入力用スイッチ１６とを介してＡ／Ｄ変換部１２に入力され、Ａ／Ｄ変換部１２によりＡ／Ｄ変換された後、音声認識部１４が音声認識を行い、その認識結果に基づいて音声操作部１５が対応する浴室機器Ｅを操作するのである。
【００３０】
このように外部音声入力用スイッチ１６が閉極している状態では、浴室外の話者が浴室外通話装置ＦのマイクＭＣ２に向かって話した音声命令が、外部音声入力用スイッチ１６を介して直接Ａ／Ｄ変換部１２に入力されるようになっており、浴室外の話者が話した音声命令により浴室機器Ｅの音声操作が行えるのである。而して、浴室内にいる入浴者が浴室機器Ｅを動作させるための音声命令を知らない場合には、浴室外にいる話者が浴室外通話装置Ｆに所定の音声命令を話すことで、操作対象の浴室機器Ｅを動作させることができ、且つ浴室外の話者が話した音声命令は浴室内通話装置ＣのスピーカＳＰ１から音声出力されるので、浴室内にいる話者に音声命令を教えることができる。しかも浴室内の使用者に操作方法を教える際に、浴室内の使用者と対面することなく、浴室の外部（浴室外通話装置Ｆの設置場所）から操作方法を教えることができるので、浴室内の使用者も浴室の外部にいる人も抵抗感を感じることがない。さらに操作可否切替釦３６の操作により外部音声入力用スイッチ１６を開極させた状態では、浴室外の話者が浴室外通話装置ＦのマイクＭＣ２に向かって話した音声がＡ／Ｄ変換部１２に入力されないので、浴室外の話者が、浴室内の人物と通話をする際に、浴室機器Ｅの操作を意図せずに発した言葉で浴室機器Ｅが操作されることがない。
【００３１】
（実施形態２）
本発明の実施形態２を図４に基づいて説明する。尚、浴室外の話者が話した音声をＡ／Ｄ変換部１２に入力する経路が実施形態１と異なる点を除いては実施形態１と略同様であるので、共通する構成要素には同一の符号を付して、その説明は省略する。
【００３２】
上述の実施形態１では、浴室外通話装置Ｆから入力された音声信号を外部音声入力用スイッチ１６を介して直接Ａ／Ｄ変換部１２に入力しているのに対して、本実施形態では浴室外通話装置Ｆから入力された音声信号をスピーカＳＰ１により音声出力させ、この時マイクＭＣ１から入力された音声信号をＡ／Ｄ変換部１２に入力するようにしている。すなわち、音声操作操作Ｄでは、マイクＭＣ１から出力される音声信号を外部音声入力用スイッチ１６を介してＡ／Ｄ変換部１２に入力するとともに、マイクロホンアンプ２６の出力信号をＡ／Ｄ変換部１２に入力している。
【００３３】
以下に、本発明に係る浴室装置Ａを用いて、浴室外部から浴室機器Ｅを音声操作する場合の動作について説明する。通常は外部音声入力用スイッチ１６を開極させており、この状態（浴室外部からの音声操作を停止した状態）では、浴室内にいる話者の音声が、マイクＭＣ１により電気信号に変換され、減算器２９でエコー成分を減算した後、マイクロホンアンプ２６で増幅されて、Ａ／Ｄ変換部１２に入力される。一方、浴室外の話者の音声は、スピーカＳＰ１から出力された後、マイクＭＣ１により電気信号に変換されるが、減算器２９でエコー成分が減算されるため、Ａ／Ｄ変換部１２に入力されることはない。すなわち、外部音声入力用スイッチ１６を開極させた状態では、浴室内部の話者が発した音声命令による音声操作は可能であるが、浴室外部からの音声操作を行えないようになっている。
【００３４】
一方、浴室外通話装置Ｆに設けた操作可否切替釦３６の操作により外部音声入力用スイッチ１６を閉極させた状態（浴室外部からの音声操作を許可する状態）では、浴室外部の話者が浴室外通話装置ＦのマイクＭＣ２に向かって所定の音声命令を話すと、マイクＭＣ２により電気信号に変換された音声信号がマイクロホンアンプ３１により増幅され、２線−４線変換回路３０を介して回線に出力される。回線に送出された音声信号は２線−４線変換回路２４を介してスピーカアンプ２５に入力され、スピーカアンプ２５で増幅された後、スピーカＳＰ１から音声出力される。そして、スピーカＳＰ１から出力された音声がマイクＭＣ１に入力されて電気信号に変換されると、この電気信号が外部音声入力用スイッチ１６を介してＡ／Ｄ変換部１２に入力されてＡ／Ｄ変換された後、音声認識部１４が音声認識を行い、その認識結果に基づいて音声操作部１５が対応する浴室機器Ｅを操作するのである。
【００３５】
上述のように外部音声入力用スイッチ１６が閉極している状態では、浴室外の話者が浴室外通話装置ＦのマイクＭＣ２に向かって話した音声命令が、浴室内通話装置ＣのスピーカＳＰ１から音声出力された後、マイクＭＣ１により電気信号に変換され、外部音声入力用スイッチ１６を介してＡ／Ｄ変換部１２に入力されるようになっており、浴室外の話者の音声命令により浴室機器Ｅの音声操作が行えるのである。而して、浴室内にいる使用者が浴室機器Ｅを動作させるための音声命令を知らない場合には、浴室外にいる話者が浴室外通話装置Ｆに所定の音声命令を話すことで、操作対象の浴室機器Ｅを動作させることができ、且つ浴室外の話者が話した音声命令は浴室内通話装置ＣのスピーカＳＰ１から音声出力されるので、浴室内にいる話者に音声命令を教えることができる。しかも浴室内の使用者に操作方法を教える際に、浴室内の使用者と対面することなく、浴室の外部（浴室外通話装置Ｆの設置場所）から操作方法を教えることができるので、浴室内の使用者も浴室の外部にいる人も抵抗感を感じることがない。さらに操作可否切替釦３６の操作により外部音声入力用スイッチ１６を開極させた状態では、浴室外の話者が浴室外通話装置ＦのマイクＭＣ２に向かって話した音声がＡ／Ｄ変換部１２に入力されないので、浴室外の話者が、浴室内の人物と通話をする際に、浴室機器Ｅの操作を意図せずに発した言葉で浴室機器Ｅが操作されることもない。
【００３６】
なお浴室内通話装置Ｃと浴室外通話装置Ｆとの間で音声通話を行う場合の動作や、浴室内部の話者が音声命令を発して音声操作を行う場合の動作は実施形態１と同様であるので、その説明は省略する。
【図面の簡単な説明】
【００３７】
【図１】実施形態１の浴室装置のシステム構成を示すブロック図である。
【図２】同上の浴室装置の設置例を示す外観図である。
【図３】同上に用いるコントローラの正面図である。
【図４】実施形態２の浴室装置のシステム構成を示すブロック図である。
【符号の説明】
【００３８】
Ａ  浴室装置
Ｂ  音声操作システム
Ｃ  浴室内通話装置
Ｄ  音声操作装置
Ｅ  浴室機器
Ｆ  浴室外通話装置
ＭＣ１，ＭＣ１  マイク
ＳＰ１，ＳＰ２  スピーカ
１２  Ａ／Ｄ変換部
１３  音響モデル記憶部
１４  音声認識部
１５  音声操作部
１６  外部音声入力用スイッチ
３６  操作可否切替釦
【図１】
0004760477.tif 000002
【図２】
0004760477.tif 000003
【図３】
0004760477.tif 000004
【図４】
0004760477.tif 000005